(57)【要約】      （修正有）【課題】簡単な構造で製造コストを削減するとともに、操作を容易とし、ボルトに締結した際の締付効果を向上させるとともに、二つの部材を連結させておくことができるロックナットを提供すること。【解決手段】本発明のロックナット１は、ネジ孔１１が軸方向中央に貫通され、外周に多角形部１２が形成された第一ナット１０と、該第一ナットに具備される第二ナット２０で構成されるロックナットにおいて、前記第一ナットは、ネジ孔外周であって多角形部を除く箇所に形成された筒状部１３と、筒状部の先方に形成された突状部１４と、筒状部に形成された切込部１５とを備えることを特徴とする。また前記切込部は、テーパ部に少なくとも１箇所以上形成されている。また前記第二ナットは、ネジ孔が軸方向中央に貫通され、外周に多角形部が形成されている。【選択図】図１
2013217486.tif 000002
【特許請求の範囲】
【請求項１】
ネジ孔が軸方向中央に貫通され、外周に多角形部が形成された第一ナットと、該第一ナットに装着される第二ナットで構成されるロックナットにおいて、前記第一ナットは、ネジ孔外周であって多角形部を除く箇所に形成された筒状部と、筒状部の先方に形成された突状部と、筒状部に形成された切込部とを備えることを特徴とするロックナット。
【請求項２】
前記切込部は、テーパ部に少なくとも１箇所以上形成されている請求項１記載のロックナット。
【請求項３】
前記第二ナットは、ネジ孔が軸方向中央に貫通され、外周に多角形部が形成されており、軸方向中央に第一ナットの筒状部が嵌入される開孔部が形成されており、該開孔部の先方に先尖状のテーパ部が形成されている請求項１記載のロックナット。
【請求項４】
前記第二ナットに切込部を形成した請求項３記載のロックナット。
【請求項５】
第一ナットの筒状部に係止用凸部を形成した請求項１または２記載のロックナット。
【請求項６】
第二ナットの開孔部に、前記第一ナットの係止用凸部が配置される係止用凹部を形成した請求項３または４記載のロックナット。
【請求項７】
前記第一ナットに、防水用の座金を装着した請求項１、２または５記載のロックナット。
【発明の詳細な説明】
【技術分野】
【０００１】  本発明は、簡単な構造で且つ操作を容易とし、ボルトに締結した際の締付効果を向上させるとともに、二つのナットを連結することができるロックナットに関する。
【背景技術】
【０００２】  一般的に、二つ以上の部材を結合するには、ボルトとナットが使用される。この際、部材の貫通孔にボルトを挿入させ、ボルトの先端よりナットを螺着させてナットを締め付ける結合させる。【０００３】  しかし、時間が経につれて、振動の発生や部材の変形によりナットが緩み、締付効力が低下するという問題が発生する。そのため、定期的に検査を行いナットの締付作業を実施しなければならなかった。
【先行技術文献】
【特許文献】
【０００４】  それらの課題を解決する従来技術として、的確な締め付けトルクでもってナットの締め付けを容易に且つ確実に行うことができ、かつ、締め付け後はいたずら等により容易に取り外すことのできないようにする取り外し防止機能を有するナット、並びに、緩み止め特殊ダブルナットがある（例えば特許文献１参照）。
上掲特許文献１の取り外し防止機能を有するナット、並びに、緩み止め特殊ダブルナットは、ネジ孔が軸方向に貫通して軸中央部に形成されたナット本体と、該ナット本体の軸方向上部に設けられた回転工具係合部と、ナット本体と回転工具係合部とを連結する連結部とを備えて一体成形され、回転工具係合部の軸中央部にネジ孔の径よりも大きな径を有する空洞を形成し、回転工具係合部に係合した回転工具により所定トルクを超える締め付けトルクで回転工具係合部を締結したときに連結部が破断して、これによりナット本体から回転工具係合部が分離されてなることを特徴とするものである。
【特許文献１】特開２００７−４０３４４号公報
【発明の概要】
【発明が解決しようとする課題】
【０００５】  しかしながら、上掲特許文献１の取り外し防止機能を有するナット、並びに、緩み止め特殊ダブルナットは、部品点数が多くなりコスト高に繋がるとともに、作業効率も低下するという問題が生じた。また、保管時においては、別々の部材を分解した状態で保管管理しなければならないという欠点があった。【０００６】  そこで本発明は上記の点に鑑み、簡単な構造で製造コストを削減するとともに、操作を容易とし、ボルトに締結した際の締付効果を向上させるとともに、二つの部材を連結させておくことができるロックナットを提供することにある。
【解決を解決するための手段】
【０００７】  上記課題を解決するために本発明のロックナットは、ネジ孔が軸方向中央に貫通され、外周に多角形部が形成された第一ナットと、該第一ナットに装着される第二ナットで構成されるロックナットにおいて、前記第一ナットは、ネジ孔外周であって多角形部を除く箇所に形成された筒状部と、筒状部の先方に形成された突状部と、筒状部に形成された切込部とを備えることを特徴とする。
【０００８】  また前記切込部は、テーパ部に少なくとも１箇所以上形成されている。
【０００９】  また前記第二ナットは、ネジ孔が軸方向中央に貫通され、外周に多角形部が形成されており、軸方向中央に第一ナットの筒状部が嵌入される開孔部が形成されており、該開孔部の先方に先尖状のテーパ部が形成されている。
【００１０】  また前記第二ナットに切込部を形成した。
【００１１】  また第一ナットの筒状部に係止用凸部を形成した。
【００１２】  また第二ナットの開孔部に、前記第一ナットの係止用凸部が配置される係止用凹部を形成した。
【００１３】  さらに、前記第一ナットに防水用の座金を装着した。
【発明の効果】
【００１４】  第一ナットは、ネジ孔外周であって多角形部を除く箇所に形成された筒状部と、筒状部の先方に形成された突状部と、筒状部に形成された切込部とを備え、第二ナットは、ネジ孔が軸方向中央に貫通され、外周に多角形部が形成されており、軸方向中央に第一ナットの筒状部が嵌入される開孔部が形成されており、該開孔部の先方に先尖状のテーパ部が形成されているため、ボルトに第二ナットおよび第一ナットを螺着させ、第二ナットの開孔部に第一ナットの筒状部を嵌入させることにより、第一ナットの突状部が第二ナットのテーパ部に締め付けられ、ボルトにロックされた状態で締結される。
【００１５】  また第一ナットの筒状部と第二ナットの多角形部に切込部を形成することで、チャック式ナットのように、第一ナットと第二ナットの締め付け強度を一層高めることができる。
【００１６】  さらに、第一ナットの筒状部に係止用凸部を形成し、第二ナットの開孔部に、前記第一ナットの係止用凸部が配置される係止用凹部を形成したことにより、第一ナットの筒状部を押圧することで、係止用凸部が係止用凹部に係止されて、第一ナットと第二ナットとが一体的に連結された状態に保持される。そのため、それぞれの部材を別々に保管する必要がなくなり利便性が向上される。
【図面の簡単な説明】
【００１７】
【図１】本発明におけるロックナットの斜視図である。
【図２】前記ロックナットの使用状態断面図である。
【図３】第二ナットに切込を設けたロックナットの斜視図である。
【図４】他の好適例であるロックナットの斜視図である。
【図５】前記ロックナットの使用状態断面図である。
【発明を実施するための形態】
【００１８】  以下、本発明のロックナットにおける実施の形態を図面に基づいて説明する。
本発明のロックナットは、簡単な構造で製造コストを削減するとともに、操作を容易とし、ボルトに締結した際の締付効果を向上させるとともに、二つの部材を連結させておくことができることを特徴とする。
【００１９】  図示するロックナット１は、ネジ孔１１が軸方向中央に貫通され、外周に多角形部１２が形成された第一ナット１０と、該第一ナット１０に装着される第二ナット２０で構成される。
【００２０】  前記第一ナット１０は、ネジ孔１１外周であって多角形部１２を除く箇所に形成された、内周にネジ孔１１が螺刻された筒状部１３と、筒状部１３の先方に形成された突状部１４と、筒状部１３に形成された切込部１５とを備える。
【００２１】  前記切込部１５は、多角形部１２の基部より突状部１４の先端までに形成されている。また前記切込部１５は、筒状部１３に少なくとも１箇所以上形成されている。特に、加工面や締め付け効果を考慮した場合、４箇所形成することが好ましい。
【００２２】  また前記第二ナット２０は、ネジ孔２１が軸方向中央に貫通され、外周に多角形部２２が形成されており、軸方向中央に第一ナット１０の筒状部１３が嵌入される開孔部２３が形成されている。また前記開孔部２３の先方には、先尖状のテーパ部２４が形成されている。
【００２３】  前記第一ナット１０と前記第二ナット２０とを上述の構造としたことにより、図２の（ａ）に示すように、第二ナット２０の開孔部２３に第一ナット１０の筒状部１３を配置させ、第一ナット１０をネジ込むことにより、（ｂ）に示すように第一ナット１０の筒状部１３が第二ナット２０の開孔部２３に嵌入される。さらに第一ナット１０をネジ込むと、（ｃ）に示すように、第一ナット１０の突状部１４が第二ナット２０のテーパ部２４により締め付けられ、切込部１５が押圧、圧縮されてボルト３０との締結力が向上し、第一ナット１０と第二ナット２０がロックされた状態となる。なお図中４０は、ロックナット１により締結される被締結部材を示す。
【００２４】  また他の好適例として、図３に示すように、前記第二ナット２０の多角形部２２に切込部２５を形成してもよい。切込部２５は、開孔部２３の上面よりネジ孔２１の螺刻部近傍まで形成されている。また前記切込部２５は、多角形部２２に少なくとも一箇所、好ましくは４箇所形成することが好ましい。前記第二ナット２０の多角形部２２に切込部２５を形成することで、前記第一ナット１０を締め付けた際、第二ナット２０が開口されて、第一ナット１０と第二ナット２０とのロック状態を好適におこなうことができる。
【００２５】  また他の好適例として、図４に示すように、本発明のロックナット１において、第一ナット１０の筒状部１３に係止用凸部１６を形成し、第二ナット２０の開孔部２３に、前記第一ナット１０の係止用凸部１６が配置される係止用凹部２６を形成することもできる。
【００２６】  本発明のロックナット１を上述の構成としたことにより、第二ナット２０の開孔部２３に第一ナット１０の筒状部１３を押圧することで、第一ナット１０の係止用凸部１６が第二ナット２０の係止用凹部２６に嵌入される。そのため、第一ナット１０と第二ナット２０が一体的に連結された状態となり、保管や運搬時等の利便性が向上する。
【００２７】  また図５の（ａ）に示すように、第二ナット２０の開孔部２３に第一ナット１０の筒状部１３を配置させ、第一ナット１０をボルト３０にネジ込むことにより、（ｂ）に示すように第一ナット１０の係止用凸部１６が第二ナット２０の係止用凹部２６に配設することもできる。この状態でさらに第一ナット１０をネジ込むと、（ｃ）に示すように、第一ナット１０の係止用凸部１６が第二ナット２０のテーパ部２４により締め付けられ、切込部１５が押圧、圧縮されて締結力が向上し、第一ナット１０と第二ナット２０がロックされた状態となる。
【００２８】  また他の好適例として前記第一ナット１０に防水用の座金１７を装着してもよい。座金１７は樹脂ゴム等の防水性、柔軟性に優れた素材で形成されており、第一ナット１０の筒状部１３の基部に装着される。第一ナット１０に座金１７を装着することにより、切込部１５から雨水等が内部に浸水することを防ぐことができる。
【００２９】  上述の構成により、本発明のロックナットは、簡単な構造で製造コストを削減するとともに、操作を容易とし、ボルトに締結した際の締付効果を向上させるとともに、二つの部材を連結させておくことができる。
【符号の説明】
【００３０】１    ロックナット
１０  第一ナット
１１  ネジ孔
１２  多角形部
１３  筒状部
１４  突状部
１５  切込部
１６  係止用凸部
１７  座金
２０  第二ナット
２１  ネジ孔
２２  多角形部
２３  開孔部
２４  テーパ部
２５  切込部
２６  係止用凹部
３０  ボルト
４０  被締結部材
【図１】
2013217486.tif 000003
【図２】
2013217486.tif 000004
【図３】
2013217486.tif 000005
【図４】
2013217486.tif 000006
【図５】
2013217486.tif 000007